(57)【要約】【課題】フレキシブル導体の基端側に、ケーブル収容部への挿入方向と直交する方向の引張荷重が作用しても、フレキシブル導体と接続端子との電気的接続が不安定になることがなく、また、フレキシブル導体がケーブル押え片から剥がれることを防止することもできるケーブル接続スライダを提供すること。【解決手段】ケーブル接続スライダ３５に、ケーブル収容部３９内でフレキシブル導体３７を接続端子４１に押圧接続するケーブル押え片４６の基端においてフレキシブル導体３７を挟持固定するケーブル把持部材５５と、ケーブル押え片４６の基端部と先端部との間でフレキシブル導体３７を貼着支持する導体貼着面５７とを備える。【選択図】図９
2011070841.tif 000002
【特許請求の範囲】
【請求項１】
スライダ式コネクタのハウジング本体のケーブル収容部に挿入されるケーブル押え片と、前記ケーブル押え片が前記ケーブル収容部に対して抜き差し方向にスライド可能なように前記ハウジング本体との連結を果たすハウジング連結部材と、を備え、
前記ケーブル押え片の外面に沿って前記ケーブル収容部に挿入されている平型のフレキシブル導体を、前記フレキシブル導体と対向するように前記ケーブル収容部に臨んで配列されている接続端子に、前記ケーブル押え片による押圧力で押圧接続させるケーブル接続スライダであって、
前記ケーブル収容部から外部に突出する前記ケーブル押え片の基端において当該ケーブル押え片との間に前記フレキシブル導体を挟持固定するケーブル把持部材と、ケーブル押え片の基端部と先端部との間において前記フレキシブル導体を貼着固定する導体貼着面と、を備えたことを特徴とするケーブル接続スライダ。
【請求項２】
前記フレキシブル導体が貼着される前記ケーブル押え片の下面には、フレキシブル導体に形成された取付穴に嵌合して、フレキシブル導体を位置決めする位置決め突起が設けられていることを特徴とする請求項１に記載のケーブル接続スライダ。
【請求項３】
前記ケーブル把持部材は、一端が前記ケーブル押え片の一側面側に可撓ヒンジ部により回動自在に結合し、他端が前記ケーブル押え片の他側面側の係止部に係合することで、前記ケーブル押え片の他側面に固定される構成であることを特徴とする請求項１又は２に記載のケーブル接続スライダ。
【発明の詳細な説明】
【技術分野】
【０００１】
本発明は、スライダ式コネクタのハウジング本体に装着されて、前記ハウジング本体のケーブル収容部に挿入される平型のフレキシブル導体を、前記ケーブル収容部に臨んで配列されている接続端子に、押圧接続するケーブル接続スライダに関する。
【背景技術】
【０００２】
図１０は、平型のフレキシブル導体を簡単に接続できるようにしたスライダ式コネクタの従来例を示したものである。
【０００３】
ここに示したスライダ式コネクタ１は、下記特許文献１に開示されたもので、樹脂製のハウジング本体３と、該ハウジング本体３にスライド可能に連結されたケーブル接続スライダ５とから構成されている。
【０００４】
ハウジング本体３は、平型のフレキシブル導体７が挿入されるケーブル収容部９を有している。また、ハウジング本体３内のケーブル収容部９の周囲は、端子収容空間１１となっていて、この端子収容空間１１にはフレキシブル導体７を接続する接続端子１３が圧入状態に装着されている。この接続端子１３は、図１０（ａ）に示すように、フレキシブル導体７に導通接続するための端子部１３ａが、ケーブル収容部９に臨んで配列されている。
【０００５】
ケーブル接続スライダ５は、ケーブル収容部９に挿入されるケーブル押え片１５と、ケーブル押え片１５の基端側からハウジング本体３の外壁面上に延出したハウジング連結手段１７とを備えている。
【０００６】
ハウジング連結手段１７は、ケーブル押え片１５との間にハウジング本体３の外壁３ａを挟持することで、ハウジング本体３との連結を果たしている。
【０００７】
ハウジング連結手段１７によるハウジング本体３との連結により、ケーブル押え片１５は、ケーブル収容部９に対して抜き差し方向（図１０（ａ）の矢印Ａ方向）に、スライド可能になっている。
【０００８】
平型のフレキシブル導体７は、例えばフレキシブルプリント回路（ＦＰＣ）基板やフレキシブルフラットケーブル（ＦＦＣ）などで、シート状又はフィルム状の樹脂基材で導体を被覆した各種の配線部材や回路部材が該当する。
【０００９】
ケーブル収容部９に挿入されるフレキシブル導体７の先端部の片面には、撓みを抑制する補強板１９が貼付されている。
【００１０】
フレキシブル導体７は、図１０（ａ）、図１０（ｂ）に示すように、補強板１９をケーブル押え片１５側に向けた状態で、ケーブル収容部９に挿入される。
【００１１】
補強板１９の先端には、ケーブル押え片１５の先端部が係合する隆起部１９ａが設けられている。
【００１２】
ケーブル押え片１５の先端には、ケーブル収容部９に挿入されたときに、隆起部１９ａと係合して、隆起部１９ａをケーブル収容部９の内奥に押し込む段差部１５ａが設けられている。
【００１３】
ハウジング連結手段１７には、ハウジング本体３の外壁３ａに突設された係止突起２１に係合して、抜け止めとなる係合部２３が設けられている。図１０（ｃ）に示すように、ケーブル押え片１５がケーブル収容部９の最奥部まで挿入されて、フレキシブル導体７の先端がケーブル収容部９内の規定位置に到達するとき、ハウジング連結手段１７の先端の係合部２３がハウジング本体３の係止突起２１に係合して、ケーブル接続スライダ５がハウジング本体３に固定された状態になる。
【００１４】
図１０（ｃ）に示したようにケーブル接続スライダ５がハウジング本体３に固定された状態のとき、ケーブル接続スライダ５のケーブル押え片１５は、フレキシブル導体７を端子部１３ａに押圧接続して、フレキシブル導体７と接続端子１３とを電気的に接続する。
【先行技術文献】
【特許文献】
【００１５】
【特許文献１】特開２００２−９３５２６号公報
【発明の概要】
【発明が解決しようとする課題】
【００１６】
ところが、前述した従来のスライダ式コネクタ１の場合、図１１（ａ）に示すように、ケーブル接続スライダ５が支持しているフレキシブル導体７の基端側に、ケーブル収容部９への挿入方向と直交する方向（図中の矢印Ｂ方向）の引張荷重が作用すると、補強板１９に反りが生じて、フレキシブル導体７と端子部１３ａとの接触が不安定になるおそれがあった。
【００１７】
また、図１１（ｂ）に矢印Ｃで示すように、フレキシブル導体７が補強板１９から剥がれる剥離が生じ、その結果、フレキシブル導体７をケーブル収容部９に抜き差しする際の取り扱い性が低下するおそれもあった。
【００１８】
そこで、本発明の目的は上記課題を解消することに係り、スライダ式コネクタのケーブル収容部に固定しているフレキシブル導体の基端側に、ケーブル収容部への挿入方向と直交する方向の引張荷重が作用しても、フレキシブル導体と接続端子との電気的接続が不安定になることがなく、また、前記引張荷重の作用でフレキシブル導体がケーブル押え片から剥がれることを防止することもできるケーブル接続スライダを提供することにある。
【課題を解決するための手段】
【００１９】
本発明の前述した目的は、下記の構成により達成される。
（１）スライダ式コネクタのハウジング本体のケーブル収容部に挿入されるケーブル押え片と、前記ケーブル押え片が前記ケーブル収容部に対して抜き差し方向にスライド可能なように前記ハウジング本体との連結を果たすハウジング連結部材と、を備え、
前記ケーブル押え片の外面に沿って前記ケーブル収容部に挿入されている平型のフレキシブル導体を、前記フレキシブル導体と対向するように前記ケーブル収容部に臨んで配列されている接続端子に、前記ケーブル押え片による押圧力で押圧接続させるケーブル接続スライダであって、
前記ケーブル収容部から外部に突出する前記ケーブル押え片の基端において当該ケーブル押え片との間に前記フレキシブル導体を挟持固定するケーブル把持部材と、ケーブル押え片の基端部と先端部との間において前記フレキシブル導体を貼着固定する導体貼着面と、を備えたことを特徴とするケーブル接続スライダ。
【００２０】
（２）前記フレキシブル導体が貼着される前記ケーブル押え片の下面には、フレキシブル導体に形成された取付穴に嵌合して、フレキシブル導体を位置決めする位置決め突起が設けられていることを特徴とする上記（１）に記載のケーブル接続スライダ。
【００２１】
（３）前記ケーブル把持部材は、一端が前記ケーブル押え片の一側面側に可撓ヒンジ部により回動自在に結合し、他端が前記ケーブル押え片の他側面側の係止部に係合することで、前記ケーブル押え片の他側面に固定される構成であることを特徴とする上記（１）又は（２）に記載のケーブル接続スライダ。
【００２２】
上記（１）の構成によれば、ケーブル押え片によってケーブル収容部内の接続端子に押圧接続される平型のフレキシブル導体の先端部は、前記ケーブル押え片の導体貼着面に貼着されて、ケーブル押え片に一体化されている。
【００２３】
更に、前記ケーブル押え片の導体貼着面に貼着されたフレキシブル導体は、ケーブル押え片の基端で、ケーブル把持部材によりケーブル押え片に挟持固定されている。
【００２４】
そのため、ハウジング本体のケーブル収容部に固定しているフレキシブル導体の基端側に、ケーブル収容部への挿入方向と直交する方向の引張荷重が作用しても、その引張荷重はケーブル把持部材による挟持部が支え、ケーブル押え片に貼着されているフレキシブル導体に対しては、貼着を剥がす方向の力としては作用しない。
【００２５】
従って、引張荷重の作用でフレキシブル導体がケーブル押え片から剥がれることを防止することができる。
【００２６】
また、ケーブル把持部材が装備されるケーブル押え片の基端は，ハウジング本体の外部に位置していて、厚肉化等により強度確保が容易なため、ケーブル収容部への挿入方向と直交する方向の引張荷重が作用しても、前記引張荷重により反りが発生することを回避でき、反りによってフレキシブル導体と接続端子との電気的接続が不安定になることも回避することができる。
【００２７】
上記（２）の構成によれば、ケーブル押え片の下面に貼着するフレキシブル導体は、取付穴を位置決め突起に整合させることで、正確に、且つ容易にケーブル押え片に位置決めすることができ、フレキシブル導体の組み付け作業性が向上する。
【００２８】
上記（３）の構成によれば、前記ケーブル把持部材がスライダ式コネクタに一体形成されているため、部品の増加を招かない。また、ケーブル把持部材の他端を、ケーブル押え片の他側面側の係止部から外した状態で、フレキシブル導体をケーブル押え片の下面に装着し、その後、ケーブル把持部材の他端をケーブル押え片の他側面側に係止させることで、簡単にフレキシブル導体を挟持した状態にすることができ、フレキシブル導体の組み付け作業性が向上する。
【発明の効果】
【００２９】
本発明によるケーブル接続スライダによれば、ケーブル押え片によってケーブル収容部内の接続端子に押圧接続される平型のフレキシブル導体の先端部は、ケーブル押え片に貼着されると共に、ケーブル把持部材によってケーブル押え片の基端に挟持固定されている。
【００３０】
そのため、フレキシブル導体の基端側に、ケーブル収容部への挿入方向と直交する方向の引張荷重が作用しても、その引張荷重はケーブル把持部材による挟持部が支え、ケーブル押え片に貼着されているフレキシブル導体に対しては、貼着を剥がす方向の力としては作用しない。
【００３１】
従って、引張荷重の作用でフレキシブル導体がケーブル押え片から剥がれることを防止することができる。
【００３２】
また、ケーブル把持部材が装備されるケーブル押え片の基端は，ハウジング本体の外部に位置していて、厚肉化等により強度確保が容易なため、ケーブル収容部への挿入方向と直交する方向の引張荷重が作用しても、前記引張荷重により反りが発生することを回避でき、反りによってフレキシブル導体と接続端子との電気的接続が不安定になることも回避することができる。
【図面の簡単な説明】
【００３３】
【図１】本発明に係るケーブル接続スライダを使用するスライダ式コネクタの一実施形態の右面側から見た分解斜視図である。
【図２】図１に示したケーブル接続スライダ及びフレキシブル導体の左面側から見た分解斜視図である。
【図３】図１に示したハウジング本体の右面側から見た分解斜視図である。
【図４】図２のＤ矢視図で、フレキシブル導体及びケーブル接続スライダの下面図である。
【図５】図１に示したケーブル接続スライダ及びフレキシブル導体の組立状態を左面側から見た斜視図である。
【図６】図５に示した組立状態を、右側下方から見た斜視図である。
【図７】ケーブル接続スライダに取り付けられたフレキシブル導体がケーブル収容部への挿入方向と直交する方向に引っ張られた状態で、ハウジング本体に嵌合装着される時の分解斜視図である。
【図８】ハウジング本体に嵌合装着されているケーブル接続スライダの基端から、フレキシブル導体がケーブル収容部への挿入方向と直交する方向に引っ張られている状態の斜視図である。
【図９】ハウジング本体に嵌合装着されているケーブル接続スライダの基端から、フレキシブル導体がケーブル収容部への挿入方向と直交する方向に引っ張られている状態の縦断面図である。
【図１０】従来のスライダ式コネクタの組み立て工程の説明図で、（ａ）はハウジング本体にフレキシブル導体が挿入される前の縦断面図、（ｂ）はフレキシブル導体７がハウジング本体のケーブル収容部に挿入された状態の縦断面図、（ｃ）はハウジング本体のケーブル収容部に挿入されたフレキシブル導体７がケーブル接続スライダによってケーブル収容部内の端子部に押圧接続されている状態の縦断面図である。
【図１１】（ａ）は従来のスライダ式コネクタにおいてハウジング本体に接続されているフレキシブル導体がケーブル収容部への挿入方向と直交する方向に引っ張られている状態の縦断面図、（ｂ）はフレキシブル導体に作用する引張力でフレキシブル導体の貼着部に剥離が発生した状態の縦断面図である。
【発明を実施するための形態】
【００３４】
以下、本発明に係るケーブル接続スライダの好適な実施形態について、図面を参照して詳細に説明する。
【００３５】
図１は本発明に係るケーブル接続スライダを使用するスライダ式コネクタの一実施形態の右面側から見た分解斜視図、図２は図１に示したケーブル接続スライダ及びフレキシブル導体の左面側から見た分解斜視図である。
【００３６】
図１に示したスライダ式コネクタ３１は、樹脂製のハウジング本体３３と、該ハウジング本体３３にスライド可能に連結されるケーブル接続スライダ３５と、ケーブル接続スライダ３５によりハウジング本体３３に接続固定される平型のフレキシブル導体３７とから構成されている。
【００３７】
ハウジング本体３３は、図３に示すように、フレキシブル導体３７が挿入されるケーブル収容部３９を有している。このハウジング本体３３には、平型のフレキシブル導体３７を接続するための接続端子４１が装着されると共に、ハウジング本体３３を基板等に固定するための金具４３が取り付けられる。
【００３８】
ハウジング本体３３の内部構造は、図９に示す通りである。ハウジング本体３３内のケーブル収容部３９の周囲は、端子収容空間４５となっていて、この端子収容空間４５には平型のフレキシブル導体３７を接続する接続端子４１が圧入状態に装着されている。この接続端子４１は、図示のように、フレキシブル導体３７に導通接続するための端子部４１ａが、ケーブル収容部３９に臨んで配列されている。
【００３９】
ケーブル接続スライダ３５は、ケーブル収容部３９に挿入されるケーブル押え片４６と、ケーブル押え片４６の基端側からハウジング本体３３の外壁面上に延出したハウジング連結部材４７とを備えている。
【００４０】
ハウジング連結部材４７は、図９に示すように、ケーブル押え片４６との間にハウジング本体３３の外壁３３ａを挟持することで、ハウジング本体３３との連結を果たす。
【００４１】
ハウジング連結部材４７によるハウジング本体３３との連結により、ケーブル押え片４６は、ケーブル収容部３９に対して抜き差し方向（図９の矢印Ｅ方向）に、スライド可能になる。
【００４２】
ハウジング連結部材４７には、ハウジング本体３３の外壁３３ａに突設された係止突起４９に係合して、抜け止めとなる係合部５１が設けられている。本実施形態の場合、係合部５１は、図９に示すように、ハウジング連結部材４７に揺動可能に一体形成されたロックレバーで、ケーブル押え片４６のケーブル収容部３９への挿入長が規定長に達したときに、先端の係止突起５１ａが係止突起４９に係合して、ケーブル接続スライダ３５をハウジング本体３３に固定する。
【００４３】
本実施形態の場合、ケーブル収容部３９から外部に突出するケーブル押え片４６の基端５３には、当該ケーブル押え片４６との間にフレキシブル導体３７を挟持固定するケーブル把持部材５５が備えられている。
【００４４】
また、ケーブル押え片４６の基端部と先端部との間には、図９に示すように、フレキシブル導体３７を貼着固定する導体貼着面５７が設定されている。
【００４５】
本実施形態の場合、ケーブル把持部材５５は、回動式のクランプ部材で、図１及び図２に示したように、一端がケーブル押え片４６の一側面側に可撓ヒンジ部５８により図１の矢印Ｆ方向に回動自在に結合されている。ケーブル把持部材５５の他端には、ケーブル押え片４６の他側面側の係止部５９に係合する係合穴６０が設けられている。
【００４６】
ケーブル把持部材５５は、他端をケーブル押え片４６の他側面側に回動させて、図５に示すように、係合穴６０を係止部５９に係合させることで、ケーブル押え片４６との間に平型のフレキシブル導体３７を挟持する。
【００４７】
また、図４に示すように、フレキシブル導体３７が貼着されるケーブル押え片４６の下面には、フレキシブル導体３７側の取付穴６１に嵌合して、フレキシブル導体３７を位置決めする位置決め突起６３が設けられている。
【００４８】
位置決め突起６３の上に重なるケーブル把持部材５５には、位置決め突起６３との干渉を回避する逃がし穴６７が貫通形成されている。
【００４９】
平型のフレキシブル導体３７は、例えばフレキシブルプリント回路（ＦＰＣ）基板やフレキシブルフラットケーブル（ＦＦＣ）などで、シート状又はフィルム状の樹脂基材で導体を被覆した各種の配線部材や回路部材が該当する。
【００５０】
フレキシブル導体３７は、ケーブル押え片４６の導体貼着面５７に対応する領域に、両面粘着テープ７０が貼付されている。また、ケーブル押え片４６上の位置決め突起６３の位置に対応して、位置決め突起６３が嵌合する取付穴６１が貫通形成されている。
【００５１】
また、フレキシブル導体３７には、取付穴６１の周辺に、治具セット用の位置決め穴６５が貫通形成されている。
【００５２】
フレキシブル導体３７は、図４に示すように、両面粘着テープ７０を貼付した側とは逆側の面に、接続端子４１の端子部４１ａに押圧接続する複数の端子３７ａが露出形成されている。
【００５３】
フレキシブル導体３７は、図５及び図６に示したように、予め、両面粘着テープ７０によりケーブル押え片４６の導体貼着面５７に貼着され、更に、ケーブル把持部材５５によりケーブル押え片４６の基端に挟持固定された状態にされる。
【００５４】
そして、図７及び図８に示すように、ケーブル接続スライダ３５と一緒に、ケーブル収容部３９に挿入装着される。ケーブル押え片４６のケーブル収容部３９への挿入長が規定長に達すると、図９に示したように、ケーブル接続スライダ３５の係合部５１がハウジング本体３３の係止突起４９に係合して、ケーブル接続スライダ３５がハウジング本体３３に固定された状態になる。この固定状態では、ケーブル押え片４６の外面（下面）に沿って前記ケーブル収容部３９に挿入されているフレキシブル導体３７の端子３７ａが、フレキシブル導体３７と対向するようにケーブル収容部３９に臨んで配列されている接続端子４１の端子部４１ａに、ケーブル押え片４６による押圧力で押圧接続されている。
【００５５】
以上に説明した一実施形態のケーブル接続スライダ３５では、ケーブル押え片４６によってケーブル収容部３９内の接続端子４１に押圧接続されるフレキシブル導体３７の先端部は、ケーブル押え片４６の導体貼着面５７に貼着されて、ケーブル押え片４６に一体化されている。
【００５６】
更に、ケーブル押え片４６の導体貼着面５７に貼着されたフレキシブル導体３７は、ケーブル押え片４６の基端５３で、ケーブル把持部材５５によりケーブル押え片４６に挟持固定されている。
【００５７】
そのため、ハウジング本体３３のケーブル収容部３９に固定しているフレキシブル導体３７の基端側に、図９に示すように、ケーブル収容部３９への挿入方向と直交する方向の引張荷重Ｇが作用しても、その引張荷重Ｇはケーブル把持部材５５による挟持部が支え、ケーブル押え片４６に貼着されているフレキシブル導体３７に対しては、貼着を剥がす方向の力としては作用しない。
【００５８】
従って、引張荷重Ｇの作用でフレキシブル導体３７がケーブル押え片４６から剥がれることを防止することができる。
【００５９】
また、ケーブル把持部材５５が装備されるケーブル押え片４６の基端は，ハウジング本体３３の外部に位置していて、厚肉化等により強度確保が容易なため、ケーブル収容部３９への挿入方向と直交する方向の引張荷重Ｇが作用しても、引張荷重Ｇにより反りが発生することを回避でき、反りによってフレキシブル導体３７と接続端子４１との電気的接続が不安定になることも回避することができる。
【００６０】
また、上記一実施形態のケーブル接続スライダ３５では、フレキシブル導体３７が貼着されるケーブル押え片４６の外面（下面）には、図４に示したように、平型のフレキシブル導体３７側の取付穴６１に嵌合して、フレキシブル導体３７を位置決めする位置決め突起６３が設けられている。
【００６１】
そのため、ケーブル押え片４６の下面に貼着するフレキシブル導体３７は、取付穴６１を位置決め突起６３に整合させることで、正確に、且つ容易にケーブル押え片４６に位置決めすることができ、フレキシブル導体３７の組み付け作業性が向上する。
【００６２】
また、上記一実施形態のケーブル接続スライダ３５では、ケーブル把持部材５５は、一端がケーブル押え片４６の一側面側に可撓ヒンジ部５８により回動自在に結合し、他端がケーブル押え片４６の他側面側の係止部５９に係合することで、ケーブル押え片４６の他側面に固定される。
【００６３】
即ち、ケーブル把持部材５５がスライダ式コネクタ３１に一体形成されているため、部品の増加を招かない。また、ケーブル把持部材５５の他端を、ケーブル押え片４６の他側面側の係止部５９から外した状態で、フレキシブル導体３７をケーブル押え片４６の下面に装着し、その後、ケーブル把持部材５５の他端をケーブル押え片４６の他側面側に係止させることで、簡単にフレキシブル導体３７を挟持した状態にすることができ、フレキシブル導体３７の組み付け作業性が向上する。
【００６４】
本発明は、上述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。
【符号の説明】
【００６５】
３１  スライダ式コネクタ
３３  ハウジング本体
３５  ケーブル接続スライダ
３７  平型のフレキシブル導体
３７ａ  端子
３９  ケーブル収容部
４１  接続端子
４１ａ  端子部
４６  ケーブル押え片
４７  ハウジング連結部材
４９  係止突起
５１  係合部（ロックレバー）
５５  ケーブル把持部材
５７  導体貼着面
５８  可撓ヒンジ部
５９  係止部
６０  係合穴
６１  取付穴
６７  逃がし穴
７０  両面粘着テープ
【図１】
2011070841.tif 000003
【図２】
2011070841.tif 000004
【図３】
2011070841.tif 000005
【図４】
2011070841.tif 000006
【図５】
2011070841.tif 000007
【図６】
2011070841.tif 000008
【図７】
2011070841.tif 000009
【図８】
2011070841.tif 000010
【図９】
2011070841.tif 000011
【図１０】
2011070841.tif 000012
【図１１】
2011070841.tif 000013